(57)【要約】【課題】  外界の環境の明暗リズムが生活のリズムと一致しない環境条件となっている部屋においても、人間に与えるストレスを軽減することができる人工窓用の映像表示システムを提供する。【解決手段】  部屋１に設けられた人工窓２には、映像表示装置３が設けられ、映像出力装置４から出力される映像情報を映像として表示するようになっている。映像出力装置４は、インターネット等の通信回線６を介して、映像コンテンツ提供事業者が所有する映像提供サーバ７に接続されている。映像提供サーバ７は通信回線６を介して映像コンテンツを映像出力装置４に配信する。映像出力装置４は、配信された映像コンテンツを映像情報として映像表示装置３に送出し、映像表示装置３は、その映像を表示する。映像表示装置３には、仮想の外の景色等が表示され、部屋１の中で生活する人間は、実際の窓から外部を見ているような感覚を受け、ストレスの発生を軽減することができる。【選択図】  図１
2006345362.tif 000002
【特許請求の範囲】
【請求項１】
部屋の壁に窓を模擬して設置される人工窓と、前記人工窓に映像を表示する映像表示装置と、前記映像表示装置に映像情報を提供する映像出力装置とを有する人工窓用の映像表示システムであって、前記映像出力装置は通信回線（インターネット等）を介して映像提供サーバに接続され、前記映像提供サーバは前記通信回線を介して映像コンテンツを前記映像出力装置へ送信する機能を有することを特徴とする人工窓用の映像表示システム。
【請求項２】
前記映像提供サーバは通信回線を介して提供可能な映像コンテンツのメニューを前記映像出力装置に送信する機能を有し、前記映像出力装置は前記メニューを前記映像表示装置に表示する機能を有し、前記映像提供サーバは表示された前記メニューから選択された映像コンテンツを通信回線を介して前記映像出力装置へ送信する機能を有することを特徴とする請求項１に記載の人工窓用の映像表示システム。
【請求項３】
前記映像提供サーバは、前記映像提供サーバに登録されている前記人工窓が設置されている場所の住所に応じた映像コンテンツを前記通信回線を介して前記映像出力装置へ送信する機能を有することを特徴とする請求項１又は請求項２に記載の人工窓用の映像表示システム。
【請求項４】
前記通信回線を介して前記人工窓が設置されている場所の住所の情報を前記映像提供サーバへ送信することで、前記人工窓が設置されている場所の住所を前記映像提供サーバに登録する機能を有することを特徴とする請求項３に記載の人工窓用の映像表示システム。
【請求項５】
前記人工窓が設置されている場所の天候の情報が、前記電子通信回路を介して前記映像提供サーバへ送信され、前記映像提供サーバは、前記送信された天候に応じた映像コンテンツを通信回線を介して前記映像出力装置へ送信する機能を有することを特徴とする請求項１から請求項４のうちいずれか一項に記載の人工窓用の映像表示システム。
【請求項６】
前記映像提供サーバへ送信される前記天候の情報は、前記人工窓が設けられた部屋の屋外に設置されている天候計測手段で取得された天候の情報であることを特徴とする請求項５に記載の人工窓用の映像表示システム。
【請求項７】
前記映像提供サーバへ提供される前記天候の情報は、天気情報を提供するサーバから送信される前記人工窓が設置されている場所での天候の情報であることを特徴とする請求項５に記載の人工窓用の映像表示システム。
【請求項８】
前記映像提供サーバは、時刻に応じて送信する映像コンテンツを変えることを特徴とする請求項１から請求項７のうちいずれか１項に記載の人工窓用の映像表示システム。
【請求項９】
前記時刻に応じて送信される映像コンテンツが、過去の略同一時刻に撮影された映像であることを特徴とする請求項８に記載の人工窓用の映像表示システム。
【請求項１０】
部屋の壁に窓を模擬して設置される人工窓と、前記人工窓に映像を表示する表示装置と、前記表示装置に映像情報を提供する映像出力装置とを有する人工窓装置であって、前記人工窓に表示される映像が、現在の時刻から過去にずれた時刻の映像であることを特徴とする人工窓装置。
【請求項１１】
部屋の壁に窓を模擬して設置される人工窓と、前記人工窓に映像を表示する表示装置と、前記表示装置に映像情報を提供する映像出力装置とを有する人工窓装置であって、前記人工窓に表示される映像が、前記人工窓が設置されている場所の天候と同様である天候に応じた映像であることを特徴とする人工窓装置。
【請求項１２】
前記人工窓が設置されている場所の天候の情報は、前記人工窓が設けられている部屋の屋外に設置されている天候計測手段で取得された天候の情報であることを特徴とする請求項１１に記載の人工窓装置。
【請求項１３】
前記人工窓が設置されている場所の天候の情報は、天気情報を提供するサーバから送信される前記人工窓が設置されている場所での天候の情報であることを特徴とする請求項１１に記載の人工窓装置。
【発明の詳細な説明】
【技術分野】
【０００１】
本発明は、人工窓に映像を表示する人工窓用の映像表示システム、及び人工窓装置に関するものである。
【背景技術】
【０００２】
クリーンルームを代表例として、採光や屋外景観を得難い職場環境は多く存在している。また一般の住宅環境においても同様に、日照を得難い環境は増加の傾向にある。
【発明の開示】
【発明が解決しようとする課題】
【０００３】
このような環境の下では、必然的に人工照明に依存した生活が強いられることになる。特に人工照明に100％依存する生活環境に長時間置かれると、人間はCircadian Rhythmに変調をきたす。人のCircadian Rhythmの周期は24±4〜5時間前後の範囲といわれている。
【０００４】
外界の環境の明暗リズムが生活のリズムと一致しない環境条件となっているケースで長時間生活すると、そのズレ量に対して体内時計と身体機能の同期(同調)が図られ、心身にストレスを生ずることになる。また、このリズムに従って生体活動が1日のなかでも時刻によって強弱を示すことも知られている。
【０００５】
本発明はこのような事情に鑑みてなされたもので、クリーンルーム等、外界の環境の明暗リズムが生活のリズムと一致しない環境条件となっている部屋においても、人間に与えるストレスを軽減することができる人工窓用の映像表示システム、及び人工窓装置を提供することを課題とする。
【課題を解決するための手段】
【０００６】
前記課題を解決するための第１の手段は、部屋の壁に窓を模擬して設置される人工窓と、前記人工窓に映像を表示する映像表示装置と、前記映像表示装置に映像情報を提供する映像出力装置とを有する人工窓用の映像表示システムであって、前記映像出力装置は通信回線（インターネット等）を介して映像提供サーバに接続され、前記映像提供サーバは前記通信回線を介して映像コンテンツを前記映像出力装置へ送信する機能を有することを特徴とする映像表示システムである。
【０００７】
前記課題を解決するための第２の手段は、前記第１の手段であって、前記映像提供サーバは通信回線を介して提供可能な映像コンテンツのメニューを前記映像出力装置に送信する機能を有し、前記映像出力装置は前記メニューを前記映像表示装置に表示する機能を有し、前記映像提供サーバは表示された前記メニューから選択された映像コンテンツを通信回線を介して前記映像出力装置へ送信する機能を有することを特徴とするものである。
【０００８】
前記課題を解決するための第３の手段は、前記第１の手段又は第２の手段であって、前記映像提供サーバは、前記映像提供サーバに登録されている前記人工窓が設置されている場所の住所に応じた映像コンテンツを前記通信回線を介して前記映像出力装置へ送信する機能を有することを特徴とするものである。
【０００９】
前記課題を解決するための第４の手段は、前記第３の手段であって、前記通信回線を介して前記人工窓が設置されている場所の住所の情報を前記映像提供サーバへ送信することで、前記人工窓が設置されている場所の住所を前記映像提供サーバに登録する機能を有することを特徴とするものである。
【００１０】
前記課題を解決するための第５の手段は、前記第１の手段から第４の手段のいずれかであって、前記人工窓が設置されている場所の天候の情報が、前記電子通信回路を介して前記映像提供サーバへ送信され、前記映像提供サーバは、前記送信された天候に応じた映像コンテンツを通信回線を介して前記映像出力装置へ送信する機能を有することを特徴とするものである。
【００１１】
前記課題を解決するための第６の手段は、前記第５の手段であって、前記映像提供サーバへ送信される前記天候の情報は、前記人工窓が設けられた部屋の屋外に設置されている天候計測手段で取得された天候の情報であることを特徴とするものである。
【００１２】
前記課題を解決するための第７の手段は、前記第５の手段であって、前記映像提供サーバへ提供される前記天候の情報は、天気情報を提供するサーバから送信される前記人工窓が設置されている場所での天候の情報であることを特徴とするものである。
【００１３】
前記課題を解決するための第８の手段は、前記第１の手段から第７の手段のいずれかであって、前記映像提供サーバは、時刻に応じて送信する映像コンテンツを変えることを特徴とするものである。
【００１４】
前記課題を解決するための第９の手段は、前記第８の手段であって、前記時刻に応じて送信される映像コンテンツが、過去の略同一時刻に撮影された映像であることを特徴とするものである。
【００１５】
前記課題を解決するための第１０の手段は部屋の壁に窓を模擬して設置される人工窓と、前記人工窓に映像を表示する表示装置と、前記表示装置に映像情報を提供する映像出力装置とを有する人工窓装置であって、前記人工窓に表示される映像が、現在の時刻から過去にずれた時刻の映像であることを特徴とする人工窓装置である。
【００１６】
前記課題を解決するための第１１の手段は、部屋の壁に窓を模擬して設置される人工窓と、前記人工窓に映像を表示する表示装置と、前記表示装置に映像情報を提供する映像出力装置とを有する人工窓装置であって、前記人工窓に表示される映像が、前記人工窓が設置されている場所の天候と同様である天候に応じた映像であることを特徴とする人工窓装置である。
【００１７】
前記課題を解決するための第１２の手段は、前記第１１の手段であって、前記人工窓が設置されている場所の天候の情報は、前記人工窓が設けられている部屋の屋外に設置されている天候計測手段で取得された天候の情報であることを特徴とするものである。
【００１８】
前記課題を解決するための第１３の手段は、前記第１１の手段であって、前記人工窓が設置されている場所の天候の情報は、天気情報を提供するサーバから送信される前記人工窓が設置されている場所での天候の情報であることを特徴とするものである。
【発明の効果】
【００１９】
本発明によれば、クリーンルーム等、外界の環境の明暗リズムが生活のリズムと一致しない環境条件となっている部屋においても、人間に与えるストレスを軽減することができる人工窓用の映像表示システム、及び人工窓装置を提供することができる。
【発明を実施するための最良の形態】
【００２０】
以下、本発明の実施の形態の例を、図を用いて説明する。図１は、本発明の実施の形態の第１の例である人工窓用の映像表示システムの概要を示す図である。部屋１に設けられた人工窓２には、映像表示装置３が設けられ、映像出力装置４から出力される映像情報を映像として表示するようになっている。映像出力装置４は、インターネット等の通信回線６を介して、映像コンテンツ提供事業者が所有する映像提供サーバ７に接続されている。人工窓２、映像表示装置３、映像出力装置４を合わせた物を、人工窓装置５と呼んでいる。なお、図１においては、３つの部屋１を示しており、そのうちの一つについて詳細を図示しているが、他の２つの部屋１にも同様の設備が設けられている。映像表示装置３としては、液晶ディスプレイ、プラズマディスプレイ、リアプロジェクタ（リアプロジェクションテレビ）等を使用することができる。又、映像コンテンツとしては、景観の動画・静止画、一定時間毎に切り替わる静止画等、任意のものを選択することができる。
【００２１】
映像提供サーバ７は、通信回線６を介して映像コンテンツを映像出力装置４に配信する。映像出力装置４は、配信された映像コンテンツを映像情報として映像表示装置３に送出し、映像表示装置３は、その映像を表示する。このことにより、映像表示装置３には、仮想の外の景色等が表示され、例えば時刻の推移と共に変化するので、部屋１の中で生活する人間は、実際の窓から外部を見ているような感覚を受け、ストレスの発生を軽減することができる。なお、映像出力装置４は、映像提供サーバ７から配信される映像コンテンツをリアルタイムで映像表示装置３に表示させるようなものであってもよく、ある時間に亘って表示する内容をまとめて受信し、時間の経過と共に表示内容を変化させて表示するようなものであってもよい。
【００２２】
さらには、映像提供サーバ７から、映像出力装置４に、映像コンテンツの内容を示すメニューを送信し、映像出力装置４が映像表示装置３にその内容を表示させ、それを見た人間が、映像出力装置４に設けられた入力装置を用いてそれらのうち一つを選択すると、それが映像提供サーバ７に伝送され、映像提供サーバ７が、対応する映像コンテンツを映像出力装置４に配信し、映像出力装置４がその内容を映像表示装置３に表示させるようにしてもよい。
【００２３】
図２は、本発明の実施の形態の第２の例である人工窓用の映像表示システムの概要を示す図である。なお、以下の図において、前述の図面に示された構成要素と同じ構成要素には、同じ符号を付してその説明を省略することがある。
【００２４】
図２に示す実施の形態のハードウエア構成は、図１に示すものとほとんど同じであるが、この実施の形態においては、人工窓２が設置されている場所の住所が、映像出力装置４から通信回線６を介して映像提供サーバ７に登録されるようになっている。なお、住所の登録は、必ずしも通信回線６を介して行う必要はなく、ＦＡＸや郵便、電話等の連絡により行ってもよい。
【００２５】
映像提供サーバ７は、登録されている住所に応じて、その場所の近傍の映像を映像コンテンツとして映像出力装置４に配信する。これらの映像は予め撮影された情報である。これにより、映像表示装置３には、人工窓２が設けられている場所の近傍の映像が表示されることになり、自然な景色を人工窓２から見ているような感覚を人間に与えることができる。
【００２６】
図３は、本発明の実施の形態の第３の例である人工窓用の映像表示システムの概要を示す図である。この実施の形態においては、部屋１の屋外に天候計測手段８が設置されており、天候計測手段８の出力が映像出力装置４に接続されている。天候計測手段８としては、風力計、雨量計、湿度計、温度計、気圧計、日照計等があり、これらを単独で用いたり又は適宜組み合わせて用いたりする。映像出力装置４は、天候計測手段８からの出力を受け、通信回線６を介してその情報を映像提供サーバ７へ伝送する。映像提供サーバ７は、天候計測手段８の出力に応じた景観の情報を映像出力装置４へ伝送し、映像出力装置４は、その映像情報を映像表示装置３に送出して表示させる。これにより、実際の天候の状況に応じた、変化に富んだ景観を、映像表示装置３に表示させることができ、自然な景色を人工窓２から見ているような感覚を人間に与えることができる。
【００２７】
但し、天候計測手段８のような装置を１軒ごとの家屋に設けることは経済的でない。よって、前述のように、人工窓２が設置される家屋の住所を映像提供サーバ７に登録しておき、映像提供サーバ７が、天気情報提供サーバ９からのその地域の天気情報（実時間に対応するもの）を通信回線６を介して受け取って、その天気情報に対応する景観の情報を映像出力装置４に伝送するようにしてもよい。
【００２８】
以上述べた３つの実施の形態のいずれにおいても、実際の時刻や季節等、時間に応じて、映像提供サーバ７から提供する映像コンテンツのメニューを変えるようにしてもよい。例えば、季節に応じた花木の状況を映像コンテンツとしたり、時刻に応じて日照の方向を変えた映像コンテンツとしたりする。
【００２９】
又、逆に、映像提供サーバ７から提供する映像コンテンツのメニューを実際の時間からずれた時間の映像コンテンツとするようにしてもよい。例えば、夜に、昼の景観を映像コンテンツとして送出し映像表示装置３に表示させることにより、実際に働いている時間が夜であっても、昼間に働いているような感覚を人間に与えることができる。
【００３０】
さらには、人工窓２が設けられている建物の周りの実際の景観とは、全く別の景観の映像コンテンツとするようにしてもよい。すなわち、実際の景観の代わりに、日本国内や海外の、美しい風景で著名な場所の、時間ごとの景色を表示するようにしてもよい。
【００３１】
以上述べた実施の形態では、映像コンテンツは映像提供サーバ７から通信回線６を介して映像出力装置４に伝送され、その内容が映像表示装置３に表示されるようになっていたが、このような映像コンテンツの配信方法を採用せず、映像出力装置４の中に撮像した映像情報を記憶しておき、その内容を適宜表示するようにしてもよい。この場合は、以上の説明において、映像提供サーバ７から映像出力装置４に配信されるとされていた映像コンテンツを、映像出力装置４が直接選択（選択入力に応じたり、天候計測手段８からの出力に応じて）して、映像表示装置３に表示させるようにすればよく、その変形例は当業者には説明の必要が無いであろう。又、天気情報提供サーバ９からの天気情報を使用する場合は、映像出力装置４が、通信回線６を介して天気情報提供サーバ９からの情報を受け取り、対応する映像コンテンツを映像表示装置３に表示させるようにすればよい。
【図面の簡単な説明】
【００３２】
【図１】本発明の実施の形態の第１の例である人工窓用の映像表示システムの概要を示す図である。
【図２】本発明の実施の形態の第２の例である人工窓用の映像表示システムの概要を示す図である。
【図３】本発明の実施の形態の第３の例である人工窓用の映像表示システムの概要を示す図である。
【符号の説明】
【００３３】
１…部屋、２…人工窓、３…映像表示装置、４…映像出力装置、５…人工窓装置、６…通信回線、７…映像提供サーバ、８…天候計測手段、９…天気情報提供サーバ
【図１】
2006345362.tif 000003
【図２】
2006345362.tif 000004
【図３】
2006345362.tif 000005